(57)【要約】【課題】電磁波としての空間電磁ノイズの悪影響を簡単な構成で適確に避けることのできる画像形成装置を提供する。【解決手段】複写機本体１内部において、外装カバー２に導電性部材３が弾性導電部材１０でアースされた状態で取り付けられており、駆動モータ７と電子基板１６とは、アースされた導電部材３によって、外装カバーで遮蔽されている解放面に直角な方向では完全に電磁遮蔽された状態となっており、外装カバー２を通して、複写機本体１外部から、空間電磁ノイズが電磁波として入射しようとしても、この空間電磁ノイズは、導電部材３によって全てアースに導かれ、駆動モータ７と電子基板１６とが、空間電磁ノイズによって動作に障害を受けることが完全に防止され、複写機は、外来空間電磁ノイズによる障害を受けることなく、常に安定した正常動作を行うことが可能になる。【選択図】図１
2005084497.tif 000002
【特許請求の範囲】
【請求項１】
電子写真方式の画像形成装置において、該画像形成装置に搭載収納され、外来空間電磁ノイズの影響を受け易い電気部材の近傍に配設される外装カバーに対して、前記画像形成装置本体内において、前記電気部材への前記外来空間電磁ノイズの入射可能面を覆って、電気的に接地された導電性部材が取り付けられていることを特徴とする画像形成装置。
【請求項２】
導電性部材が、樹脂製シート材であることを特徴とする請求項１記載の画像形成装置。
【請求項３】
導電性部材が、外装カバーのねじ固定部を介して電気的に接地されていることを特徴とする請求項１または請求項２記載の画像形成装置。
【発明の詳細な説明】
【技術分野】
【０００１】
本発明は、複写機、ファクシミリ、プリンタなどの電子方式の画像形成装置に関する。
【背景技術】
【０００２】
近年の我々の身の回りの電磁環境は大きく変化し、情報通信機器、ＡＶ機器、電力システム、産業機器、医療機器などの電子機器や電力機器が広く使用されており、これらの機器から高周波信号成分が漏れ出て、電磁ノイズとして他の電子機器や電力機器の動作に障害を及ぼすことが問題になっている。
この問題に対して、パソコン、ワープロ、ファクシミリなどによる電波障害問題とその対策を目的として、ＶＣＣＩ（情報処理装置等電波障害自主規制協議会）が設立され、電子機器からの電磁波の放出量を所定基準値以下に抑える自主規制が行われ、適合する製品には「ＶＣＣＩマーク」が付けられている。
【０００３】
このＶＣＣＩの自主規制に関連して、後記する特許文献１には、プリンタコントローラからプリンタエンジンにイメージデータを転送する際に、複数画素の印刷データを同時にパラレルに転送することによって、クロック信号の周波数を高めることなく、大量のデータを転送すると共に、クロック信号やデータ信号から、外部に発せられる電磁ノイズを低減させる画像形成装置が開示されている。
【０００４】
また、後記する特許文献２には、排紙トレイの少なくとも一部を金属部材で形成し、この金属部材をフレームグランドと接続させることにより、画像形成装置の内部及び周辺に電磁ノイズが放出されることを防止する画像形成装置が記載されている。
【０００５】
【特許文献１】特開２００２−２００７９５号公報
【特許文献２】特開平９−２５８５１７号公報
【０００６】
ここで特に問題となるのは、空間伝播する空間電磁ノイズであり、この種の空間電磁ノイズの内で、電磁誘導により伝播する空間電磁ノイズは、平行する二線間に発生するので、二線間に距離を保ち、磁束を直角に切るループを形成しないように設定し、磁束の高透磁率材でのシールドを行うことで、ほぼ問題を解決することができ、静電誘導により伝播する空間電磁ノイズは、静電シールドを設け、特にフラットケーブルやプリント基板で信号線と信号線間にグランド線を設けたり、プリント基板でアナログ部分をベタアースを設けることにより、ほぼ問題を解決することができる。
【発明の開示】
【発明が解決しようとする課題】
【０００７】
前述の空間電磁ノイズで、特に問題になるのが電磁界による電磁波としての伝播であり、この場合は、放射電界と放射磁界とが現れ、空間電磁ノイズが電磁波となって空間に放射されるために、電子機器内の対象となる電気部材の長さや形状に応じて、空間電磁ノイズが複雑に悪影響を及ぼすことになり、電気基板、ハーネス、各種の電気部品が搭載される電子写真方式の画像形成装置では、特に適切な対策が要求される。
【０００８】
因みに、前述の特許文献１及び特許文献２には、電磁波として伝播する空間電磁ノイズに対する対策は全く開示されていない。
【０００９】
本発明は、前述したような空間電磁ノイズの電磁波としての伝播の現状に鑑みてなされたものであり、その目的は、電磁波としての空間電磁ノイズの悪影響を簡単な構成で適確に避けることのできる画像形成装置を提供することにある。
【課題を解決するための手段】
【００１０】
前記目的を達成するために、請求項１記載の第１の発明は、電子写真方式の画像形成装置において、該画像形成装置に搭載収納され、外来空間電磁ノイズの影響を受け易い電気基板、ハーネス、電気部品などの電気部材の近傍に配設される外装カバーに対して、前記画像形成装置本体内において、前記電気部材への前記外来空間電磁ノイズの入射可能面を覆って、電気的に接地された導電性部材が取り付けられていることを特徴とするものである。
【００１１】
第１の発明によると、電子写真方式の画像形成装置において、該画像形成装置に搭載収納され、外来空間電磁ノイズの影響を受け易い電気基板、ハーネス、電気部品などの電気部材の近傍に配設される外装カバーに対して、画像形成装置本体内において、電気部材への外来空間電磁ノイズの入射可能面を覆って、電気的に接地された導電性部材が取り付けられているので、電磁波として放射される外来空間電磁ノイズの影響を受け易い電気基板、ハーネス、電気部品などの電気部材への電磁ノイズの入射可能面が、電気的に接地された導電性部材で覆われることになり、例えばモータや電子基板などの電気部材の動作が、外来空間電磁ノイズで障害を受けることが完全に防止され、画像形成装置の正常動作が実行される。
【００１２】
同様に前記目的を達成するために、請求項２記載の第２の発明は、第１の発明において、導電性部材が、樹脂製シート材であることを特徴とするものである。
【００１３】
第２の発明によると、第１の発明での作用に加えて、導電性部材が樹脂製シート材なので、その形状を外装カバーの形状に対応させて、導電性部材が製造コストを低減させて簡単に形成される。
【００１４】
同様に前記目的を達成するために、請求項３記載の第３の発明は、第１の発明または第２の発明において、導電性部材が、外装カバーのねじ固定部を介して電気的に接地されていることを特徴とするものである。
【００１５】
第３の発明によると、第１の発明または第２の発明での作用に加えて、導電性部材に別途接地用の部材を設けることが不要となり、製造コストが低減され構造が簡単になる。
【発明の効果】
【００１６】
第１の発明、即ち、電子写真方式の画像形成装置において、該画像形成装置に搭載収納され、外来空間電磁ノイズの影響を受け易い電気基板、ハーネス、電気部品などの電気部材の近傍に配設される外装カバーに対して、前記画像形成装置本体内において、前記電気部材への前記外来空間電磁ノイズの入射可能面を覆って、電気的に接地された導電性部材が取り付けられていることを特徴とする発明で得られる効果は以下の通りである。
【００１７】
第１の発明によると、電子写真方式の画像形成装置において、該画像形成装置に搭載収納され、外来空間電磁ノイズの影響を受け易い電気基板、ハーネス、電気部品などの電気部材の近傍に配設される外装カバーに対して、画像形成装置本体内において、電気部材への外来空間電磁ノイズの入射可能面を覆って、電気的に接地された導電性部材が取り付けられているので、電磁波として放射される外来空間電磁ノイズの影響を受け易い電気基板、ハーネス、電気部品などの電気部材への電磁ノイズの入射可能面が、電気的に接地された導電性部材で覆われることになり、例えばモータや電子基板などの電気部材の動作が、外来空間電磁ノイズで障害を受けることを完全に防止することが可能になり、外来空間電磁ノイズの存在下で、画像形成装置に常に正常動作を行わせることが可能になる。
【００１８】
第１の発明において、導電性部材が樹脂製シート材であることを特徴とする第２の発明によると、第１の発明で得られる効果に加えて、導電性部材が樹脂製シート材なので、形状を外装カバーの形状に対応させて、導電性部材を製造コストを低減させて簡単に作成することが可能になる。
【００１９】
第１の発明または第２の発明において、導電性部材が、外装カバーのねじ固定部を介して電気的に接地されていることを特徴とする第３の発明によると、第１の発明または第２の発明で得られる効果に加えて、導電性部材に別途接地用の部材を設けることが不要となり、製造コストの低減と構造の簡易化が可能になる。
【発明を実施するための最良の形態】
【００２０】
［第１の実施の形態］
図１及び図２を参照して、本発明の一実施の形態を画像形成装置が複写機で、駆動モータとその関連部材への空間電磁ノイズの入射を防止する場合について説明する。
図１は本実施の形態の構成を示す斜視分解図、図２は本実施の形態の要部の構成を示す斜視組立図である。
【００２１】
本実施の形態では、複写機本体１内のほぼ中央位置に装置駆動用の駆動モータ７が設けられ、駆動モータ７の上方に近接して、駆動モータ７を挟むようにして、排風ダクト５、６が列設されており、駆動モータ７の端部に対向する複写機本体１の壁面は解放面に形成され、この解放面を覆う外装カバー２が着脱自在に設けられている。
ここで使用される駆動モータ７は、磁極回転子を有し磁極回転子を無接触で検知するブラシレスＤＣモータであり、この駆動モータ７には、回転子位置を検知するために、磁界の大きさを検出するホール素子、検出信号を増幅する増幅器、この増幅器の出力信号を方形波に整形するシュミットトリガ回路、安定化電源回路及び温度補償回路がパッケージ化されたホールＩＣが設けられている。
さらに、駆動モータ７のモータコイルには、回転トルクを発生させるインバータＩＣが接続され、このインバータＩＣは、ホールＩＣが接続された回転ロジックＩＣに接続され、回転ロジックＩＣによって、インバータＩＣのトランジスタが０Ｎ−０ＦＦされ、回転数に比例した回転パルスを発生するように、モータコイルへの電流が適切に分配制御されるように構成されている。
【００２２】
このために、駆動モータ７には、ホールＩＣ、インバータＩＣ、回転ロジックＩＣなどの各種の電子回路を搭載した電子基板１６が接続配設されている。
このようにして、電子基板１６が接続配設された駆動モータ７及び排風ダクト５、６を含む各種の部材及び部品が収容される複写機本体１の解放面の周縁部には、解放面の外装カバー２による閉鎖時に使用する接続部材８と接続部材１４とが取り付けられ、排風ダクト６の近傍には、組立時に導電性部材３と対接配置される弾性導電部材１０が配設されており、この弾性導電部材１０は、例えば導電性スポンジで形成され複写機本体１側でアースされている。
【００２３】
一方、複写機本体１の解放面を閉鎖する外装カバー２には、閉鎖時に排風ダクト５、６がそれぞれ挿入配置され、底部に排風スリット部１２が形成されている排気用のリブ１１が一体に形成されており、外装カバー２の排風スリット部１２近傍の内面において、複写機本体１の接続部材８に形成されたねじ孔９ａに対応する位置にはねじ孔９ｂが形成されている。
そして、本実施の形態では、複写機本体１の解放面が外装カバー２で閉鎖された状態で、解放面に直角な方向から複写機本体１内に外部から電磁波として入射する空間電磁ノイズに対して、駆動モータ７と、駆動モータ７に接続される電子基板１６への入射面を覆うように、駆動モータ７の端部に対向して導電性部材３が配設されており、この導電性部材３は例えば導電性の樹脂シートで形成されている。
【００２４】
本実施の形態の組立に際しては、先ず、図２に示すように、リブ１１の底面の排風スリット部１２近傍の外装カバー２の内面の上縁部と、リブ１１の周縁部とにわたって、導電性部材３が接着固定され、次いで、導電性部材３が接着固定された外装カバー２が、接続部材８のねじ孔９ａと、外装カバー２のねじ孔９ｂを介する固定ねじ１３での締め付けと、接続部材１４のねじ孔１４ａと、接続部材１５のねじ孔１５ａを介するねじでの締め付けとによって、解放面を覆って複写機本体１に固定される。
この固定によって、弾性導電部材１０が導電性部材３に弾性対接し、弾性導電部材１０に接続されるアース線によって、導電性部材３は完全にアースされた状態となり、複写機本体１の解放面が外装カバー２で遮蔽されて組立作業が終了する。この組立状態では、アースされた導電部材３によって、駆動モータ７と電子基板１６は解放面に直角な方向では、完全に電磁遮蔽された状態となっている。
【００２５】
このような構成の本実施の形態では、電子基板１６の電源がＯＮとなると、ホールＩＣが駆動モータ７の回転子の磁極を検知して、インバータ回路のトランジスタがＯＮ状態となり、駆動モータ７のモータコイルに電流が流れ、モータコイルに出来る磁極により回転子が回転する過程が繰り返されて、回転子が回転を続けることにより駆動モータ７が駆動され複写機としての動作が行われ、また、排気ファンが回転して、機内の高温雰囲気流が、ダクト５、６を通過し、リブ１１内に流入され排気スリツト部１２から機外に排出される。
この場合、本実施の形態によると、複写機本体１に対して、解放面を覆う外装カバー２を通して、複写機本体１外部から、空間電磁ノイズが電磁波として入射しようとすると、この空間電磁ノイズは、導電部材３によって全てアースに導かれ、駆動モータ７と電子基板１６とは、空間電磁ノイズが電磁波として入射した場合でも、空間電磁ノイズによって動作に障害を受けることが完全に防止され、複写機は、外来空間電磁ノイズによる障害を受けることなく、常に安定した正常動作を行う。
【００２６】
このように、本実施の形態によると、複写機本体１内部において、弾性導電部材１０でアースされた導電性部材３が外装カバー２に固定されており、駆動モータ７と電子基板１６とは、アースされた導電部材３によって、外装カバーで遮蔽されている解放面に直角な方向では完全に電磁遮蔽された状態となっており、外装カバー２を通して、複写機本体１外部から、空間電磁ノイズが電磁波として入射しようとしても、この空間電磁ノイズは、導電部材３によって全てアースに導かれ、駆動モータ７と電子基板１６とが、空間電磁ノイズによって動作に障害を受けることが完全に防止され、複写機は、外来空間電磁ノイズによる障害を受けることなく、常に安定した正常動作を行うことが可能になる。
【００２７】
［第２の実施の形態］
本発明の第２の実施の形態を、図３及び図４を参照して説明する。
図３は本実施の形態の構成を示す斜視分解図、図４は本実施の形態の要部の構成を示す斜視組立図である。
【００２８】
本実施の形態は、すでに説明した第１の実施の形態に対して、導電性部材３の下縁部の中央にねじ孔９ｃを有する突片３ａが一体に形成されており、外装カバー２は、ねじ孔９ｂ、９ｃ、９ａを介して、固定ねじ１３によって、複写機本体１に固定され、この固定によって導電性部材３が外装カバー２に固定されている。
本実施の形態のその他の部分の構成と動作は、すでに説明した第１の実施の形態と同一なので、重複する説明は行わない。
本実施の形態によると、すでに説明した第１の実施の形態で得られる効果に加えて、弾性導電部材１０を省略して構成を簡単にすることも可能になる。
【００２９】
なお、本発明は、以上に説明した各実施の形態に限定されるものではなく、導電性部材３の形状と配置を選択して、駆動モータ７と電子基板１６以外の各種の電子部品や電気部材を空間電磁ノイズから防止することが可能であり、導電性部材３も導電性の樹脂シートに限らず導電薄板でもよく、弾性導電部材１０も導電性スポンジに限らず板ばねで形成することも可能である。
【図面の簡単な説明】
【００３０】
【図１】本発明の第１の実施の形態の構成を示す斜視分解図である。
【図２】同実施の形態の要部の構成を示す斜視組立図である。
【図３】本発明の第２の実施の形態の構成を示す斜視分解図である。
【図４】同実施の形態の要部の構成を示す斜視組立図である。
【符号の説明】
【００３１】
１    複写機本体
２    外装カバー
３    導電性部材
５、６    排風ダクト
７    駆動モータ
１６    電子基板
【図１】
2005084497.tif 000003
【図２】
2005084497.tif 000004
【図３】
2005084497.tif 000005
【図４】
2005084497.tif 000006